(57)【要約】簡素な構成でありながら複数の距離に虚像を実質的に同時に表示させることができる表示装置を提供する。表示装置である画像表示装置１００は、表示素子１１に形成された像を拡大する投影光学系１５と、拡散機能を有し、投影光学系１５の光射出側に配置される中間スクリーン１９と、中間スクリーン１９上の像を拡大する拡大投射光学系１７と、中間スクリーン１９を空間的に移動させるとともに表示素子１１の動作を制御する表示制御部１８とを備え、中間スクリーン１９は、光軸方向の位置が異なる複数の局所領域ＬＡ１，ＬＡ２を光路上に配置可能であり、表示制御部１８は、複数の局所領域ＬＡ１，ＬＡ２において、当該複数の局所領域ＬＡ１，ＬＡ２に対応して虚像距離が異なる複数の画像をそれぞれ形成させる。
2020031415.tif 000002
【特許請求の範囲】
【請求項１】
表示素子と、
前記表示素子に形成された像を拡大する投影光学系と、
拡散機能を有し、前記投影光学系の光射出側に配置される中間スクリーンと、
前記中間スクリーン上の像を拡大する拡大投射光学系と、
前記中間スクリーンを空間的に移動させるとともに前記表示素子の動作を制御する表示制御部と、
を備え、
前記中間スクリーンは、光軸方向の位置が異なる複数の局所領域を光路上に配置可能であり、
前記表示制御部は、前記複数の局所領域において、当該複数の局所領域に対応して虚像距離が異なる複数の画像をそれぞれ形成させる表示装置。
【請求項２】
前記中間スクリーンは、光軸方向に段差を生じさせた境界部を有し、
前記表示制御部は、前記境界部を光路上に配置したとき、前記境界部の一方側に対応する領域において、当該一方側の虚像距離に対応する第１部分画像を形成させ、前記境界部の他方側に対応する領域において、当該他方側の虚像距離に対応する第２部分画像を形成させる、請求項１に記載の表示装置。
【請求項３】
前記中間スクリーンは、環状で、一か所に段差状の前記境界部を有すること特徴とする請求項２に記載の表示装置。
【請求項４】
前記中間スクリーンは、螺旋形状を有する、請求項３に記載の表示装置。
【請求項５】
前記中間スクリーンの配置を検出するセンサーを備える、請求項１から４までのいずれか一項に記載の表示装置。
【発明の詳細な説明】
【技術分野】
【０００１】
本発明は、視線の先に虚像を表示し、かつ虚像の投影位置を可変とした表示装置に関するものである。
【背景技術】
【０００２】
従来のヘッドアップディスプレイ（ＨＵＤ：Head-Up Display）装置は、虚像を運転者からある一定の距離だけ離れた位置に生成するのが一般的であり、運転者から虚像までの距離が一定だと眼の位置がずれた場合に対象物と危険信号（虚像）との位置がずれてしまい、運転者が対象物の位置を誤認してしまうという問題がある。【０００３】
このような問題を解決する手段として、対象物と虚像とを高フレームレートで重畳させて表示することができるシステムを持ち、中間スクリーンの像の倍率を変更できる光学素子を光軸方向に高速移動させる手法が考えられる。これにより、その対象物に対して虚像を奥行き方向も含めて重畳させることができる。このように、虚像に奥行きを持たせる手法として、特許文献１に記載の方法がある。この特許文献１では、ＭＥＭＳミラーのような走査型の像形成手段と、中間スクリーンと、投影手段と、中間スクリーン位置を変える可動手段とを備え、中間スクリーン位置を変化させることで虚像の位置を変化させている。特許文献１の主たる目的としては、車の速度に伴って人間が注視する距離が変わることを鑑み、虚像位置を近づけたり遠ざけたりして、運転者の視線移動を少なくすることであるが、運転時の危険というのは視線の遠近に関係なく存在するものであるため、遠距離にも近距離にも同時に危険信号を表示できることが好ましい。そのためには、中間スクリーンを高速駆動し、それと同期させた映像を像形成手段によって生成することで、人間の目には同時に表示されているかのように見せることが考えられる。しかしながら、走査型の像形成手段では、高フレームレートでの表示切替えに対応することが難しいため、複数距離に虚像を同時に表示させる構成には向いていない。
【先行技術文献】
【特許文献】
【０００４】
【特許文献１】特開２００９−１５０９４７号公報
【発明の概要】
【０００５】
本発明は、上記背景技術に鑑みてなされたものであり、簡素な構成でありながら複数の距離に虚像を実質的に同時に表示させることができる表示装置を提供することを目的とする。
【０００６】
上述した目的のうち少なくとも一つを実現するために、本発明の一側面を反映した表示装置は、表示素子と、表示素子に形成された像を拡大する投影光学系と、拡散機能を有し、投影光学系の光射出側に配置される中間スクリーンと、中間スクリーン上の像を拡大する拡大投射光学系と、中間スクリーンを空間的に移動させるとともに表示素子の動作を制御する表示制御部とを備え、中間スクリーンは、光軸方向の位置が異なる複数の局所領域を光路上に配置可能であり、表示制御部は、複数の局所領域において、当該複数の局所領域に対応して虚像距離が異なる複数の画像をそれぞれ形成させる。
【図面の簡単な説明】
【０００７】
【図１】図１Ａは、第１実施形態の画像表示装置を車体に搭載した状態を示す側方断面図であり、図１Ｂは、画像表示装置を説明する車内側からの正面図である。
【図２】虚像表示光学系等の具体的な構成例を説明する拡大側方断面図である。
【図３】図３Ａ及び３Ｂは、中間スクリーンを組み込んだ拡散部の構造を説明する平面図及び側面図であり、図３Ｃは、中間スクリーンの回転に伴う機能領域の移動等を説明する概念図である。
【図４】中間像の位置の変化を具体的に例示する図である。
【図５】図５Ａ〜５Ｄは、中間スクリーンの位置における画像の形成状態を説明する概念図である。
【図６】図６Ａ〜６Ｄは、画像の形成状態の変形例を説明する概念図である。
【図７】画像表示装置を含む移動体用表示システムを説明するブロック図である。
【図８】具体的な表示状態を説明する斜視図である。
【図９】図９Ａは、図４に対応する図であり、図９Ｂ〜９Ｄは、図８中の表示像又はフレーム枠に対応する図である。
【図１０】画像表示装置の動作例を説明する図である。
【図１１】図１１Ａ及び１１Ｂは、第２実施形態の画像表示装置に組み込まれる拡散部の構造を説明する側断面図及びＡＡ矢視断面図である。
【図１２】第３実施形態の画像表示装置を説明する側方断面図である。
【発明を実施するための形態】
【０００８】
〔第１実施形態〕
以下、本発明に係る表示装置の第１実施形態である画像表示装置について説明する。
【０００９】
図１Ａ及び１Ｂは、表示装置としての画像表示装置１００及びその使用状態を説明する概念的な側方断面図及び正面図である。この画像表示装置１００は、例えばヘッドアップディスプレイ（ＨＵＤ）装置として車体２内に搭載されるものであり、描画ユニット１０と表示スクリーン２０とを備える。画像表示装置１００は、描画ユニット１０中の後述する表示素子１１に表示されている画像情報を、表示スクリーン２０を介して運転者ＵＮに向けて虚像表示するものである。
【００１０】
画像表示装置１００のうち描画ユニット１０は、車体２のダッシュボード４内であってディスプレイ５０の背後に埋め込むように設置されており、運転関連情報等を含む画像に対応する表示光ＨＫを表示スクリーン２０に向けて射出する。表示スクリーン２０は、コンバイナーとも呼ばれ、半透過性を有する凹面鏡又は平面鏡である。表示スクリーン２０は、下端の支持によってダッシュボード４上に立設され、描画ユニット１０からの表示光ＨＫを車体２の後方に向けて反射させる。つまり、図示の場合、表示スクリーン２０は、フロントウインドウ８とは別体で設置される独立型のものとなっている。表示スクリーン２０で反射された表示光ＨＫは、運転席６に座った運転者ＵＮの瞳ＨＴ及びその周辺位置に対応するアイボックス（不図示）に導かれる。運転者ＵＮは、表示スクリーン２０で反射された表示光ＨＫ、つまり車体２の前方にある虚像としての表示像ＩＭを観察することができる。一方、運転者ＵＮは、表示スクリーン２０を透過した外界光、つまり前方景色、自動車等の実像を観察することができる。結果的に、運転者ＵＮは、表示スクリーン２０の背後の外界像又はシースルー像に重ねて、表示スクリーン２０での表示光ＨＫの反射によって形成される運転関連情報等を含む表示像（虚像）ＩＭを観察することができる。
【００１１】
ここで、表示スクリーン２０をフロントウインドウ８と別体で構成しているが、フロントウインドウ８を表示スクリーンとして用い、フロントウインドウ８内に設定した表示範囲に投影を行って、運転者ＵＮが表示像ＩＭを観察できる構成としてもよい。この際、フロントウインドウ８のガラスの一部領域の反射率をコート等によって変更することで、反射領域を確保することができる。また、フロントウインドウ８での反射角度が例えば６０度程度であれば、反射率が１５％程度確保され、特にコートを設けなくても透過性を有する反射面として用いることができる。これら以外に、表示スクリーン２０をフロントウインドウ８のガラス中に挟む構成とすることもできる。
【００１２】
図２に示すように、描画ユニット１０は、表示素子１１を含む虚像型の拡大結像系である本体光学系１３と、本体光学系１３を動作させる表示制御部１８と、本体光学系１３等を収納するハウジング１４とを備える。これらのうち本体光学系１３と表示スクリーン２０とを組み合わせたものは、虚像表示光学系３０を構成する。
【００１３】
本体光学系１３は、表示素子１１のほかに、表示素子１１に形成された画像を拡大した中間像ＴＩを形成可能な投影光学系１５と、中間像ＴＩの結像予定位置又はその近傍（以下では結像位置とも呼ぶ）に配置される拡散部１６と、拡散部１６上の像（中間像ＴＩそのものの他、中間像ＴＩから位置ズレして僅かにピントがぼけたものも含み、強制中間像ＴＩ’とも呼ぶ）を拡大する拡大投射光学系１７とを備える。
【００１４】
表示素子１１は、２次元的な表示面１１ａを有する。表示素子１１の表示面１１ａに形成された像は、本体光学系１３のうち投影光学系１５で拡大されて拡散部１６へ投影される。この際、２次元表示が可能な表示素子１１を用いることで、投影光学系１５が表示素子１１の表示面１１ａに形成された像を拡大するので、拡散部１６への表示像ＩＭ又は投影像の切替え、つまり表示スクリーン２０越しに虚像として表示される表示像ＩＭの切替えを比較的高速とできる。表示素子１１の動作は、後述する表示制御部１８によって拡散部１６に付随する回転駆動部６４の動作と同期するように制御されている。表示素子１１は、ＤＭＤ（Digital Mirror Device）やＬＣＯＳ（Liquid crystal on silicon）等の反射型の素子であっても、液晶等の透過型の素子であってもよい。なお、液晶等を照明する発光体としては、バックライト、ＬＥＤ（light emitting diode）、半導体レーザーを用いてもよい。特に、表示素子１１としてＤＭＤを用いると、明るさを維持しつつ画像を高速で切替えることが容易になり、虚像距離又は投影距離を変化させる表示に有利である。なお、表示素子１１は、虚像距離を変化させる場合には、それぞれの虚像距離に対して３０ｆｐｓ以上、さらに望ましくは６０ｆｐｓ以上のフレームレートで動作する。これにより、異なる虚像距離に複数の表示像（虚像）ＩＭを運転者ＵＮに対して同時に表示されているように見せることが容易になる。特に、９０ｆｐｓ以上で表示の切替えを行う場合、ＤＭＤやＬＣＯＳが表示素子１１の候補となる。
【００１５】
投影光学系１５は、固定焦点のレンズ系であり、図示を省略するが、複数のレンズを有する。投影光学系１５は、表示素子１１の表示面１１ａに形成された画像を中間像ＴＩ又は強制中間像ＴＩ’として拡散部１６上に適当な倍率で拡大投影する。
【００１６】
拡散部１６は、投影光学系１５による投影位置又は結像位置（つまり、中間像ＴＩの結像予定位置又はその近傍）に配置される部材であり、回転駆動部６４に駆動されて例えば一定速度で回転軸ＳＸの周りに回転するとともに、センサー６５によって回転位置が検出される。つまり、回転駆動部６４は、後述する表示制御部１８を介して、拡散部１６（具体的には、後述する回転体１６ａの中間スクリーン１９）に、光軸ＡＸ方向に沿った可動範囲内において周期運動を行わせる。また、回転駆動部６４は、表示制御部１８の制御下で動作しており、センサー６５による中間スクリーン１９の配置検出結果に基づいて、中間スクリーン１９の回転位置や回転速度を表示素子１１の投影タイミングに合わせて調整している。センサー６５は、後述する中間スクリーン１９の外周に対向して配置され、中間スクリーン１９の途切れ目に相当する境界部１６ｊの通過タイミングを検出することで、中間スクリーン１９の配置に関連する回転角を定期的にチェックしている。センサー６５により、中間スクリーン１９の空間的移動を正確に把握でき、虚像距離に応じた表示像ＩＭの設定が容易になる。センサー６５としては、例えばフォトインターラプターを用いることができる。一般的なフォトインターラプターは、発光部と光センサー部とを組み込んだセンサーモジュールである。中間スクリーン１９の境界部１６ｊでは、反射方向や拡散方向が前後の領域に比較して変動するので、フォトインターラプターの発光部による光検出強度を所定の閾値と比較すること等によって境界部１６ｊの通過を精密に監視できる。なお、回転駆動部６４の駆動制御が正確である場合、センサー６５を省略することもできる。
【００１７】
図３Ａ及び３Ｂに示すように、画像表示装置１００に組み込まれる拡散部１６は、全体として円板に近い輪郭を有する螺旋状の回転体１６ａと、回転体１６ａを支持する中心軸部１６ｒとを有する。
【００１８】
回転体１６ａは、中央部１６ｃと外周光学部１６ｐとを有する。回転体１６ａの外周光学部１６ｐに形成された一方の表面１６ｆ（本実施形態では、投影光学系１５側又は＋Ｙ側の面）は、平滑面又は光学面に形成されており、表面１６ｆ上には、全域に亘って中間スクリーン１９が形成されている。
【００１９】
中間スクリーン１９は、配光角を所望の角度に制御した環状の拡散板である。中間スクリーン１９は、回転体１６ａに貼り付けられるシートとできるが、回転体１６ａの表面に形成された微細な凹凸パターンであってもよい。さらに、中間スクリーン１９は、回転体１６ａの内部に埋め込むように形成されたものであってもよい。中間スクリーン１９は、入射した表示光ＨＫを拡散させることによって中間像ＴＩ又は強制中間像ＴＩ’を形成する（図２参照）。
【００２０】
回転体１６ａの外周光学部１６ｐに形成された他方の表面１６ｓ（本実施形態では、拡大投射光学系１７側の面）は、平滑面又は光学面に形成されている。回転体１６ａは、光透過性を有する螺旋状の部材であり、一対の表面１６ｆ，１６ｓは、回転軸ＳＸを螺旋軸とする螺旋面となっている。結果的に、一方の表面１６ｆ上に形成された中間スクリーン１９は、螺旋の１ピッチ分の範囲に形成されている。拡散部１６の周に沿った１箇所に段差状の境界部１６ｊが形成され、この境界部１６ｊは、螺旋端に対応する位置で光軸ＡＸ方向又は回転軸ＳＸ方向に例えば３０ｍｍ以下の距離段差又はピッチを与えるものとなっている。拡散部１６の境界部１６ｊは、中間スクリーン１９の境界部でもある。中間スクリーン１９が境界部１６ｊを有することにより、中間スクリーン１９を周回させる周期運動が可能になり、中間スクリーン１９に沿って機能領域ＦＡを周回させることができる。境界部１６ｊは、螺旋端間の段差を繋ぐとともに、拡散部１６を回転させる回転軸ＳＸを含む平面に対して傾斜した帯状の接続面１６ｋを有する。上記のように、回転体１６ａの一対の表面１６ｆ，１６ｓが回転軸ＳＸを螺旋軸とする螺旋面であることから、回転体１６ａは、回転軸ＳＸ又は光軸ＡＸ方向に関して略等しい厚みｔを有する。
【００２１】
図３Ａに示すように、回転体１６ａにおいて、周方向に沿った１箇所は、本体光学系１３の光軸ＡＸが通る機能領域ＦＡとなっており、機能領域ＦＡにおける中間スクリーン１９の部分によって中間像ＴＩが形成される。この機能領域ＦＡは、回転体１６ａの回転に伴って回転体１６ａ上において一定速度で移動し回転体１６ａ上で周回する（図３Ｃ参照）。図示の例では、中間スクリーン１９が螺旋の１周期に対応する範囲に形成されているため、回転体１６ａの１回転で中間スクリーン１９が空間的に移動し、中間スクリーン１９の機能領域ＦＡ又は中間像ＴＩは、光軸ＡＸ方向に段差に相当する距離Ｄだけ移動することになる（図３Ｂ参照）。
【００２２】
なお、投影光学系１５は、拡散部１６に設けた中間スクリーン１９の位置によってピントぼけが生じないように、機能領域ＦＡの移動範囲以上の所定の焦点深度を有する。
【００２３】
図２に戻って、拡大投射光学系１７は、拡散部１６に形成された中間像ＴＩを表示スクリーン２０と協働して拡大し、運転者ＵＮの前方の表示スクリーン２０越しに虚像としての表示像ＩＭを形成する。拡大投射光学系１７は、少なくとも１枚のミラーで構成されるが、図示の例では２枚のミラー１７ａ，１７ｂを含む。
【００２４】
図２等に示す画像表示装置１００において、表示制御部１８の制御下でセンサー６５によって監視しつつ回転駆動部６４を動作させることで、拡散部１６が回転軸ＳＸの周りに回転し、回転体１６ａ又は中間スクリーン１９が光軸ＡＸと交差する位置（つまり機能領域ＦＡ）も光軸ＡＸ方向に移動する。つまり、例えば図３Ｃに示すように、回転体１６ａの回転に伴って、中間スクリーン１９上の機能領域ＦＡは、例えば元の機能領域ＦＡ１から等角度でずれた位置に設定された隣接する機能領域ＦＡ２，ＦＡ３に順次シフトし、光軸ＡＸ方向に移動する。このような機能領域ＦＡの光軸ＡＸ方向への移動により、中間像ＴＩの位置も光軸ＡＸ方向に移動させることができる。拡散部１６が回転軸ＳＸの周りに回転することで、機能領域ＦＡに対応する中間像ＴＩの位置が光軸ＡＸ方向に繰り返し周期的に移動し、拡大投射光学系１７によって表示スクリーン２０の背後に形成される虚像としての表示像ＩＭと観察者である運転者ＵＮとの距離を大きく、又は小さくすることができる。このように、表示制御部１８の制御下で、投影される表示像ＩＭの位置を前後に変化させるとともに、表示素子１１による表示内容をその位置に応じたものとすることで、表示像ＩＭまでの投影距離又は虚像距離を変化させつつ表示像ＩＭの表示内容を変化させることになり、一連の表示像ＩＭを３次元的なものとすることができる。
【００２５】
図４は、拡散部１６の回転に伴う中間像ＴＩの位置の変化を具体的に例示する図である。拡散部１６の機能領域ＦＡの中心は、光軸ＡＸ方向に沿って鋸歯状の経時パターンＰＡで繰り返し周期的に移動しており、中間像ＴＩの中心位置も、表示素子１１が連続表示を行っている場合、図示のように光軸ＡＸ方向に沿って鋸歯状の経時パターンＰＡで繰り返し周期的に移動する。つまり、中間像ＴＩの位置は、境界部１６ｊに対応する箇所で不連続的ながら、拡散部１６の回転に伴って連続的かつ周期的に変化する。この結果、図示を省略するが、表示像（虚像）ＩＭの位置も、スケールは異なるが、中間像ＴＩの位置と同様に光軸ＡＸ方向に沿って繰り返し周期的に移動し、投影距離を連続的に変化させることができる。表示素子１１は、連続表示を行うものでなく、表示内容を切替えつつ間欠的な表示を行うものであるから、中間像ＴＩの表示位置も鋸歯状の経時パターンＰＡ上における離散的な位置となる。経時パターンＰＡにおいて、最も近距離側又は拡大投射光学系１７寄りの表示位置Ｐｎと、最も遠距離側又は反拡大投射光学系１７寄りの表示位置Ｐｆとは、経時パターンＰＡの両端に設定される。また、経時パターンＰＡの途切れ目ＰＤは、拡散部１６の回転体１６ａに設けた境界部１６ｊに対応する。さらに、図３Ｃに示す機能領域ＦＡ１，ＦＡ２，ＦＡ３の中心は、経時パターンＰＡ上の離散的な表示位置Ｐ１，Ｐ２，Ｐ３に対応する。
【００２６】
図５Ａ〜５Ｄは、拡散部１６の中間スクリーン１９における中間像ＴＩの形成方法を説明する図であり、特に境界部１６ｊの通過に伴う画像表示の切替えを説明する図である。
【００２７】
図５Ａに示す状態では、光路上の中間像ＴＩ又は機能領域ＦＡが全域で投影光学系１５側又は＋Ｙ側に位置するが境界部１６ｊと交差しておらず、中間像ＴＩは、単一領域の画像ＤＡとして形成されている。この画像ＤＡは、光路上にあって表示素子１１の表示面１１ａに一括形成された画像に対応するが、光軸ＡＸ方向の位置が異なる４つの区分領域ＡＲ１１〜ＡＲ１４で構成される。４つの区分領域ＡＲ１１〜ＡＲ１４は、光路上に同時に配置可能であり、４つの区分領域ＡＲ１１〜ＡＲ１４には、光軸ＡＸ方向の位置又は虚像距離に応じた個別の画像を形成することができる。ただし、表示像（虚像）ＩＭの虚像距離に関する分解能の設定が粗い場合、区分領域ＡＲ１１〜ＡＲ１４に投影方向に垂直な方向に連続する一体的な画像を形成することもできる。
【００２８】
図５Ｂに示す状態では、光路上の中間像ＴＩ又は機能領域ＦＡの右端側が境界部１６ｊと交差しており、中間像ＴＩは、拡大投射光学系１７側又は−Ｙ側（紙面奧側）にある第１部分画像ＤＡ１と、投影光学系１５側又は＋Ｙ側（紙面手前側）にあって残りの大半を占める第２部分画像ＤＡ２とで構成されている。第１部分画像ＤＡ１は、中間スクリーン１９のうち光路上の第１局所領域ＬＡ１上に形成され、第２部分画像ＤＡ２は、中間スクリーン１９のうち光路上の第２局所領域ＬＡ２上に形成されている。これにより、中間スクリーン１９の境界部１６ｊを挟んだ複合的領域を用いて表示像（虚像）ＩＭの投影が可能になる。両局所領域ＬＡ１，ＬＡ２に形成された部分画像ＤＡ１，ＤＡ２は、表示素子１１の表示面１１ａに一括形成された画像に対応するが、境界部１６ｊに対応する部分に非表示領域ＮＤを有する。第１部分画像ＤＡ１は、単一の区分領域ＡＲ２１で構成されるが、第２部分画像ＤＡ２は、光軸ＡＸ方向の位置が異なる３つの区分領域ＡＲ２２〜ＡＲ２４で構成される。区分領域ＡＲ２１は、境界部１６ｊの一方側又は光源側に対応する領域であり、区分領域ＡＲ２２〜ＡＲ２４は、境界部１６ｊの他方側又は投射側に対応する領域である。第１部分画像ＤＡ１は、区分領域ＡＲ２１の光軸ＡＸ方向の位置によって定まる虚像距離に対応した表示内容となっており、第２部分画像ＤＡ２は、区分領域ＡＲ２２〜ＡＲ２４の光軸ＡＸ方向の位置によって定まる虚像距離に対応した表示内容となっている。なお、３つの区分領域ＡＲ２２〜ＡＲ２４には、光軸ＡＸ方向の位置又は虚像距離に応じた個別の画像を形成することができるが、表示像（虚像）ＩＭの虚像距離に関する分解能の設定に応じて、投影方向に垂直な方向に連続する一体的な画像を形成することもできる。
【００２９】
図５Ｃに示す状態では、光路上の中間像ＴＩ又は機能領域ＦＡの中央が境界部１６ｊと交差しており、中間像ＴＩは、拡大投射光学系１７側又は−Ｙ側にある第１部分画像ＤＡ１と、投影光学系１５側又は＋Ｙ側にある第２部分画像ＤＡ２とで構成されている。これらの部分画像ＤＡ１，ＤＡ２は、表示素子１１の表示面１１ａに一括形成された画像に対応するが、境界部１６ｊに対応する部分に非表示領域ＮＤを有する。第１部分画像ＤＡ１は、光軸ＡＸ方向の位置が異なる２つの区分領域ＡＲ３１，ＡＲ３２で構成され、第２部分画像ＤＡ２は、光軸ＡＸ方向の位置が異なる２つの区分領域ＡＲ３３，ＡＲ３４で構成される。第１部分画像ＤＡ１は、区分領域ＡＲ３１，ＡＲ３２の光軸ＡＸ方向の位置によって定まる虚像距離に対応した表示内容となっており、第２部分画像ＤＡ２は、区分領域ＡＲ３３，ＡＲ３４の光軸ＡＸ方向の位置によって定まる虚像距離に対応した表示内容となっている。なお、区分領域ＡＲ３１〜ＡＲ３４には、光軸ＡＸ方向の位置又は虚像距離に応じた個別の画像を形成することができるが、表示像（虚像）ＩＭの虚像距離に関する分解能の設定に応じて、投影方向に垂直な方向に連続する一体的な画像を形成することもできる。
【００３０】
図５Ｄに示す状態では、中間像ＴＩ又は機能領域ＦＡの左端側が境界部１６ｊと交差しており、中間像ＴＩは、拡大投射光学系１７側又は−Ｙ側にあって大半を占める第１部分画像ＤＡ１と、投影光学系１５側又は＋Ｙ側（紙面手前側）にある残りの第２部分画像ＤＡ２とで構成されている。これらの部分画像ＤＡ１，ＤＡ２は、表示素子１１の表示面１１ａに一括形成された画像に対応するが、境界部１６ｊに対応する部分に非表示領域ＮＤを有する。第１部分画像ＤＡ１は、光軸ＡＸ方向の位置が異なる３つの区分領域ＡＲ４１〜ＡＲ４３で構成され、第２部分画像ＤＡ２は、単一の区分領域ＡＲ４４で構成される。第１部分画像ＤＡ１は、区分領域ＡＲ４１〜ＡＲ４３の光軸ＡＸ方向の位置によって定まる虚像距離に対応した表示内容となっており、第２部分画像ＤＡ２は、区分領域ＡＲ４４の光軸ＡＸ方向の位置によって定まる虚像距離に対応した表示内容となっている。なお、区分領域ＡＲ４１〜ＡＲ４４には、光軸ＡＸ方向の位置又は虚像距離に応じた個別の画像を形成することができるが、表示像（虚像）ＩＭの虚像距離に関する分解能の設定に応じて、投影方向に垂直な方向に連続する一体的な画像を形成することもできる。
【００３１】
図５Ａにおいて、機能領域ＦＡのうち１つの画面領域ＡＬ１を考えた場合、図５Ａに示す画像形成及び投影によって、投影光学系１５側又は＋Ｙ側に４番目に近い区分領域ＡＲ１４の画像形成及び投影が行われ、図５Ｂに示す画像形成及び投影によって、投影光学系１５側又は＋Ｙ側に３番目に近い区分領域ＡＲ２４の画像形成及び投影が行われ、図５Ｃに示す画像形成及び投影によって、投影光学系１５側又は＋Ｙ側に２番目に近い区分領域ＡＲ３４の画像形成及び投影が行われ、図５Ｄに示す画像形成及び投影によって、投影光学系１５側又は＋Ｙ側に１番目に近い区分領域ＡＲ４４の画像形成及び投影が行われる。つまり、詳細な説明を省略するが、画面領域ＡＬ１には、投影光学系１５側の表示位置Ｐｆから拡大投射光学系１７側の表示位置Ｐｎにかけて適宜の距離分解能で中間像ＴＩが段階的に形成され、表示像（虚像）ＩＭが虚像距離の可能範囲の全体に亘って離散的に投影され、３次元表示が可能になる。
【００３２】
詳細な説明を省略するが、機能領域ＦＡのうち画面領域ＡＬ１以外の他の画面領域ＡＬ２〜ＡＬ４でも、画面領域ＡＬ１と同様の画像形成及び投影が行われるので、機能領域ＦＡの全域において、投影光学系１５側から拡大投射光学系１７側にかけて適宜の距離分解能で中間像ＴＩが段階的に形成され、表示像（虚像）ＩＭが虚像距離の可能範囲の全体に亘って離散的に投影され、３次元表示が可能になる。なお、特定距離の表示像（虚像）ＩＭを構成する区分領域ＡＲ１１，ＡＲ２２，ＡＲ３３，ＡＲ４４は、つなぎ目がスムーズになるように、画像処理によって倍率や配置が調整される。
【００３３】
図６Ａ〜６Ｄは、色分解したカラー画像を投影する場合を説明する図である。この場合、図６Ａに示すように、図５Ａに示す画像形成及び投影をＲ画像の画像形成及び投影のタイミングとして用い、図５Ａの投影から図５Ｂの投影までの期間をＧ画像及びＢ画像の投影に用いる。つまり、図６Ｂに示すように、図５Ａ及び５Ｂ間の位相ズレの１／３の位相ズレでＧ画像の形成及び投影を行うとともに、図６Ｃに示すように、図５Ａ及び５Ｂ間の位相ズレの２／３の位相ズレでＢ画像の形成及び投影を行う。図６Ａでは、Ｒ色に対応する中間像ＴＩが単一領域の画像ＣＤＡとして形成されている。Ｒ色の画像ＣＤＡは、区分領域ＡＲｒ１〜ＡＲｒ４で構成されている。図６Ｂでは、Ｇ色に対応する中間像ＴＩが第１部分画像ＣＤＡ１と第２部分画像ＣＤＡ２とに分割されている。Ｇ色の第２部分画像ＣＤＡ２は、区分領域ＡＲｇ１〜ＡＲｇ４で構成されている。図６Ｃでは、Ｂ色に対応する中間像ＴＩが第１部分画像ＣＤＡ１と第２部分画像ＣＤＡ２とに分割されている。Ｂ色の第２部分画像ＣＤＡ２は、区分領域ＡＲｂ１〜ＡＲｂ４で構成されている。図５Ｂに対応する図６Ｄでは、再びＲ色に対応する中間像ＴＩが形成されるが、この場合、中間像ＴＩが第１部分画像ＣＤＡ１と第２部分画像ＣＤＡ２とに分割されている。
【００３４】
以上では、第１部分画像ＣＤＡ１及び第２部分画像ＣＤＡ２の単位、又は区分領域ＡＲ１１〜ＡＲ１４，ＡＲ２１〜ＡＲ２４，…の単位で虚像距離に適合する中間像ＴＩ又は表示画像を表示又は形成したが、表示素子１１の表示面１１ａを構成する画素単位で虚像距離に適合する中間像ＴＩ又は表示画像を表示又は形成してもよい。
【００３５】
図７は、移動体用表示システム２００を説明するブロック図であり、移動体用表示システム２００は、その一部として画像表示装置１００を含む。この画像表示装置１００は、図２に示す構造を有するものであり、ここでは説明を省略する。移動体用表示システム２００は、移動体である自動車等に組み込まれるものである。
【００３６】
移動体用表示システム２００は、画像表示装置１００のほかに、運転者検出部７１と、環境監視部７２と、主制御装置９０とを備える。
【００３７】
運転者検出部７１は、運転者ＵＮの存在や視点位置を検出する部分であり、運転席用カメラ７１ａと、運転席用画像処理部７１ｂと、判断部７１ｃとを備える。運転席用カメラ７１ａは、車体２内のダッシュボード４の運転席６正面に設置されており（図１Ｂ参照）、運転者ＵＮの頭部及びその周辺の画像を撮影する。運転席用画像処理部７１ｂは、運転席用カメラ７１ａで撮影した画像に対して明るさ補正等の各種画像処理を行って判断部７１ｃでの処理を容易にする。判断部７１ｃは、運転席用画像処理部７１ｂを経た運転席画像からオブジェクトの抽出又は切り出しを行うことによって運転者ＵＮの頭部や目を検出するとともに、運転席画像に付随する奥行情報から車体２内における運転者ＵＮの頭部の存否とともに運転者ＵＮの目の空間的な位置（結果的に視線の方向）を算出する。
【００３８】
環境監視部７２は、前方に近接する自動車、自転車、歩行者等を識別する部分であり、外部用カメラ７２ａと、外部用画像処理部７２ｂと、判断部７２ｃとを備える。外部用カメラ７２ａは、車体２内外の適所に設置されており、運転者ＵＮ又はフロントウインドウ８の前方、側方等の外部画像を撮影する。外部用画像処理部７２ｂは、外部用カメラ７２ａで撮影した画像に対して明るさ補正等の各種画像処理を行って判断部７２ｃでの処理を容易にする。判断部７２ｃは、外部用画像処理部７２ｂを経た外部画像からオブジェクトの抽出又は切り出しを行うことによって自動車、自転車、歩行者等の対象物の存否を検出するとともに、外部画像に付随する奥行情報から車体２前方における対象物の空間的な位置を算出する。
【００３９】
なお、運転席用カメラ７１ａや外部用カメラ７２ａは、図示を省略しているが、例えば複眼型の３次元カメラである。つまり、両カメラ７１ａ，７２ａは、結像用のレンズと、ＣＭＯＳその他の撮像素子とを一組とするカメラ素子をマトリックス状に配列したものであり、撮像素子用の駆動回路をそれぞれ有する。各カメラ７１ａ，７２ａを構成する複数のカメラ素子は、例えば奥行方向の異なる位置にピントを合わせるようになっており、或いは相対的な視差を検出できるようになっており、各カメラ素子から得た画像の状態（フォーカス状態、オブジェクトの位置等）を解析することで、画像内の各領域又はオブジェクトまでの距離を判定できる。
【００４０】
なお、上記のような複眼型のカメラ７１ａ，７２ａに代えて、２次元カメラと赤外距離センサーとを組み合わせたものを用いても、撮影した画面内の各部（領域又はオブジェクト）に関して奥行方向の距離情報を得ることができる。また、複眼型のカメラ７１ａ，７２ａに代えて、２つの２次元カメラを分離配置したステレオカメラによって、撮影した画面内の各部（領域又はオブジェクト）に関して奥行方向の距離情報を得ることができる。その他、単一の２次元カメラにおいて、焦点距離を高速で変化させながら撮像を行うことによっても、撮影した画面内の各部（領域又はオブジェクト）に関して奥行方向の距離情報を得ることができる。
【００４１】
表示制御部１８は、主制御装置９０の制御下で虚像表示光学系３０を動作させて、表示スクリーン２０の背後に虚像距離が変化する３次元的な表示像ＩＭを表示させる。表示制御部１８は、主制御装置９０を介して環境監視部７２から受信した表示形状や表示距離を含む表示情報から、虚像表示光学系３０に表示させる表示像ＩＭを生成する。また、表示制御部１８は、表示像ＩＭを構成する第１部分画像ＤＡ１と第２部分画像ＤＡ２とを生成し、或いは表示像ＩＭを構成する第１部分画像ＣＤＡ１と第２部分画像ＣＤＡ２とを生成し、さらにこれらを区分領域に分割する。表示制御部１８は、このようにして得た区分領域単位の画像データについて中間スクリーン１９に表示する順序やタイミング等を割り振り、画像データに対応する画像要素を中間スクリーン１９に表示する。画像データに対応する画像要素を空間的に統合した表示像ＩＭは、例えば表示スクリーン２０の背後に存在する自動車、自転車、歩行者その他の対象物に対してその奥行き位置方向に関して周辺に位置するフレーム枠ＨＷ（図８参照）のような標識とすることができる。
【００４２】
表示制御部１８は、主制御装置９０を介して運転者検出部７１から運転者ＵＮの存在や目の位置に関する検出出力を受け取る。これにより、虚像表示光学系３０による表示像ＩＭの投影の自動的な開始や停止が可能になる。また、運転者ＵＮの視線の方向のみに表示像ＩＭの投影を行うこともできる。さらに、運転者ＵＮの視線の方向の表示像ＩＭのみを明るくする、点滅する等の強調を行った投影を行うこともできる。
【００４３】
主制御装置９０は、画像表示装置１００、環境監視部７２等の動作を調和させる役割を有し、環境監視部７２によって検出した対象物の空間的な位置に対応するように、虚像表示光学系３０によって投影されるフレーム枠ＨＷの空間的な配置を調整する。
【００４４】
図８は、具体的な表示状態を説明する斜視図である。観察者である運転者ＵＮの前方は観察視野に相当する検出領域ＶＦとなっている。検出領域ＶＦ内、つまり道路及びその周辺に、歩行者等である人のオブジェクトＯＢ１，ＯＢ３や、自動車等である移動体のオブジェクトＯＢ２が存在すると考える。この場合、主制御装置９０は、画像表示装置１００によって３次元的な表示像（虚像）ＩＭを投影させ、各オブジェクトＯＢ１，ＯＢ２，ＯＢ３に対して関連情報像としてのフレーム枠ＨＷ１，ＨＷ２，ＨＷ３を付加する。この際、運転者ＵＮから各オブジェクトＯＢ１，ＯＢ２，ＯＢ３までの距離が異なるので、フレーム枠ＨＷ１，ＨＷ２，ＨＷ３を表示させる表示像ＩＭ１，ＩＭ２，ＩＭ３までの虚像距離は、運転者ＵＮから各オブジェクトＯＢ１，ＯＢ２，ＯＢ３までの距離に相当するものとなっている。
【００４５】
なお、表示像ＩＭ１，ＩＭ２，ＩＭ３の虚像距離は、離散的であり、オブジェクトＯＢ１，ＯＢ２，ＯＢ３までの現実の距離に対して常に正確に一致させるということはできない。ただし、表示像ＩＭ１，ＩＭ２，ＩＭ３の虚像距離と、オブジェクトＯＢ１，ＯＢ２，ＯＢ３までの現実の距離との差が大きくなければ、運転者ＵＮの視点が動いても視差が生じにくく、オブジェクトＯＢ１，ＯＢ２，ＯＢ３とフレーム枠ＨＷ１，ＨＷ２，ＨＷ３との配置関係を略維持することができる。
【００４６】
図９Ａは、図４に対応し、図９Ｂは、図８中の表示像ＩＭ３又はフレーム枠ＨＷ３に対応し、図９Ｃは、図８中の表示像ＩＭ２又はフレーム枠ＨＷ２に対応し、図９Ｄは、図８中の表示像ＩＭ１又はフレーム枠ＨＷ１に対応している。図９Ａ〜９Ｄより明らかなように、表示像ＩＭ１は、回転体１６ａの機能領域ＦＡ又は中間像ＴＩの全部又は一部が表示位置ＰＯ１を中心とする所定範囲内の位置にあるときの投影像又は表示像に対応する。同様に、表示像ＩＭ２は、回転体１６ａの機能領域ＦＡ又は中間像ＴＩの全部又は一部が表示位置ＰＯ２を中心とする所定範囲内の位置にあるときの投影像又は表示像に対応し、表示像ＩＭ３は、回転体１６ａの機能領域ＦＡ又は中間像ＴＩの全部又は一部が表示位置ＰＯ３を中心とする所定範囲内の位置にあるときの投影像又は表示像に対応する。中間像ＴＩの移動を基準とする１周期でみた場合、順に、表示位置ＰＯ１に対応する表示像ＩＭ１又はフレーム枠ＨＷ１が表示され、表示位置ＰＯ２に対応する表示像ＩＭ２又はフレーム枠ＨＷ２が表示され、表示位置ＰＯ３に対応する表示像ＩＭ３又はフレーム枠ＨＷ３が表示される。以上の１周期が視覚的に短ければ、表示像ＩＭ１，ＩＭ２，ＩＭ３の切替えが非常に速くなり、観察者である運転者ＵＮは、フレーム枠ＨＷ１，ＨＷ２，ＨＷ３を奥行きがある画像として同時に観察していると認識する。
【００４７】
図１０は、主制御装置９０の動作を説明する概念図である。まず、主制御装置９０は、環境監視部７２を利用してオブジェクトＯＢ１，ＯＢ２，ＯＢ３を検出した場合、オブジェクトＯＢ１，ＯＢ２，ＯＢ３に対応するフレーム枠ＨＷ１，ＨＷ２，ＨＷ３に対応する画像の表示データを生成し、不図示の記憶部に保管する（ステップＳ１１）。その後、主制御装置９０は、ステップＳ１１で得た表示データを、対応する虚像距離及び表示ゾーンに振り分けるようなデータの変換を行う（ステップＳ１２）。具体的には、オブジェクトＯＢ１，ＯＢ２，ＯＢ３の位置に応じて、対応するフレーム枠ＨＷ１，ＨＷ２，ＨＷ３を対応する虚像距離の表示ゾーンのいずれか１つに割り当てる。次に、主制御装置９０は、フレーム枠ＨＷ１，ＨＷ２，ＨＷ３に対応する表示データを割り当てた虚像距離及び表示ゾーンに適合するように段差又は境界部も加味して加工し、不図示の記憶部に保管する（ステップＳ１３）。最後に、主制御装置９０は、ステップＳ１３で得た表示データを、回転駆動部６４の動作に同期して表示制御部１８に出力し、表示素子１１に回転体１６ａの機能領域ＦＡに応じた表示動作を行わせる（ステップＳ１４）。
【００４８】
以上で説明した画像表示装置１００によれば、表示制御部１８が、複数の局所領域ＬＡ１，ＬＡ２において当該複数の局所領域ＬＡ１，ＬＡ２に対応して虚像距離が異なる複数の部分画像ＤＡ１，ＤＡ２をそれぞれ形成させるので、光路上に配置された複数の局所領域ＬＡ１，ＬＡ２を無駄なく用いて虚像の投影が可能になる。
【００４９】
〔第２実施形態〕
以下、第２実施形態に係る表示装置について説明する。なお、第２実施形態の表示装置は第１実施形態の表示装置を変形したものであり、特に説明しない事項は第１実施形態と同様である。
【００５０】
図１１Ａ及び１１Ｂに示すように、拡散部１１６は、全体として円筒容器に近い輪郭を有する螺旋状の回転体１１６ａを有する。拡散部１１６は、図１に示す投影光学系１５による投影位置又は結像位置（つまり中間像ＴＩの結像予定位置又はその近傍）に配置され、不図示の回転駆動部に駆動されて例えば一定速度で光軸ＡＸに垂直な回転軸ＳＸの周りに回転する。
【００５１】
回転体１１６ａは、回転軸ＳＸのまわりの角度方向に応じて回転軸ＳＸから機能領域ＦＡとなる表面までの距離が連続的に変化する部分を含む円筒状形状を有する。回転体１１６ａの回転軸ＳＸは、光軸ＡＸに対してほぼ直交する状態で配置されている。
【００５２】
回転体１１６ａは、端面部１１６ｂと、側面部１１６ｃとを有する。回転体１１６ａは、端面部１１６ｂの反対側において開放された構造となっており、不図示の支持部材によって別途固定された光路折り曲げ用のミラーＭ１を囲むように配置されている。端面部１１６ｂと側面部１１６ｃとは、光透過性を有する同一の材料で形成されている。ただし、端面部１１６ｂは、光透過性を有していないものであってもよく、例えば一部空洞になっていても構わない。
【００５３】
回転体１１６ａの端面部１１６ｂは、円盤状の部材であり、側面部１１６ｃの一方の端部を支持している。端面部１１６ｂは、中心軸部１１６ｒを介して不図示の回転駆動部に回転可能に支持されている。図示は省略するが、回転体１１６ａには、回転体１１６ａの回転を安定させるために、バランサーを設けることができる。
【００５４】
回転体１１６ａの側面部１１６ｃは、光学部であり、側面部１１６ｃの外側に形成された一方の表面１１６ｄは、平滑面又は光学面に形成されている。表面１１６ｄ上には、全域に亘って環状の中間スクリーン１９が形成されている。中間スクリーン１９は、回転体１１６ａの側面部１１６ｃに貼り付けられるシートとできるが、回転体１１６ａの表面に形成された微細な凹凸パターンであってもよい。中間スクリーン１９は、入射した表示光ＨＫを拡散させることによって中間像ＴＩ又は強制中間像ＴＩ’を形成する（図２参照）。回転体１１６ａの側面部１１６ｃの内側に形成された他方の表面１１６ｅは、平滑面又は光学面に形成されている。
【００５５】
回転体１１６ａの立体形状は、回転軸ＳＸから機能領域ＦＡまでの距離が連続的に変化する形状を有している。具体的には、回転体１１６ａの側面部１１６ｃは、光透過性を有する渦巻き状の部材であり、一対の表面１１６ｄ，１１６ｅは、回転軸ＳＸを基準軸とする渦巻き型側面となっている。結果的に、一方の表面１１６ｄ上に形成された中間スクリーン１９も連続的な渦巻き型側面に沿って形成されたものとなっている。中間スクリーン１９は、機能領域ＦＡのパターン（又は渦巻き型側面のパターン）に対応する範囲に形成されている。これにより、回転体１１６ａの回転に伴って中間スクリーン１９が空間的に移動し、中間スクリーン１９のうち光軸ＡＸと交差する部分は、光軸ＡＸ方向に沿った可動範囲内において周期的に運動する。回転体１１６ａの一回転で中間スクリーン１９の機能領域ＦＡの光軸ＡＸ方向の位置を適宜設定することができ、虚像投影距離を適宜変更することができる。
【００５６】
回転体１１６ａの側面部１１６ｃの周に沿った一箇所に境界部１１６ｆが形成されている。この境界部１１６ｆは、光軸ＡＸ方向に平行な方向に関して中間スクリーン１９の両端に段差を与えるものとなっている。回転体１１６ａの境界部１１６ｆは、中間スクリーン１９の境界部でもある。
【００５７】
図１に示す投影光学系１５からの表示光ＨＫは、図１１Ａに示すミラーＭ１で反射され、中間スクリーン１９を通過して拡散度が調整され、拡大投射光学系１７を経て表示スクリーン２０で反射される。
【００５８】
本実施形態において、中間スクリーン１９又は回転体１１６ａが境界部１１６ｆを有し、境界部１１６ｆの前後に光軸ＡＸ上の位置が異なるものとなる複数の局所領域ＬＯ１，ＬＯ２を有する。よって、図５Ａ〜５Ｄに示すものと同様の手法で中間像ＴＩを形成し或いは表示素子１１に表示を行わせることで、境界部１１６ｆ周辺の局所領域ＬＯ１，ＬＯ２を無駄なく用いて虚像の投影が可能になる。
【００５９】
〔第３実施形態〕
以下、第３実施形態に係る表示装置について説明する。なお、第３実施形態の表示装置は第１実施形態の表示装置を変形したものであり、特に説明しない事項は第１実施形態と同様である。
【００６０】
図１２に示すように、拡散部２１６は、全体として平板状の輪郭を有する光学素子２１６ａを有する。拡散部２１６は、図１に示す投影光学系１５による投影位置又は結像位置（つまり中間像ＴＩの結像予定位置又はその近傍）に配置され、往復駆動部２６４に駆動されて光軸ＡＸに垂直な方向ＤＤに往復移動する。
【００６１】
光学素子２１６ａは、方向ＤＤに沿って配列された厚みが異なる３つの部分２１６ｃ，２１６ｄ，２１６ｅからなり、これらの部分２１６ｃ，２１６ｄ，２１６ｅの投影光学系１５側の表面上には中間スクリーン１９が形成されている。拡散部２１６又は光学素子２１６ａが方向ＤＤに沿って移動すると、中間スクリーン１９が空間的に移動し、部分２１６ｃ，２１６ｄ，２１６ｅのいずれか１つが光軸ＡＸと交差する光路上に配置される。つまり、中間スクリーン１９のうち光軸ＡＸと交差する部分は、光軸ＡＸ方向に沿った可動範囲内において周期的に運動することになる。部分２１６ｃ，２１６ｄ，２１６ｅの間には複数の段差状の境界部２１６ｊが形成されている。これらの境界部２１６ｊは、光軸ＡＸ方向に平行な方向に関して中間スクリーン１９に複数の段差を与えるものとなっている。
【００６２】
本実施形態において、中間スクリーン１９又は光学素子２１６ａが境界部２１６ｊを有し、境界部２１６ｊの前後に光軸ＡＸ上の位置が異なるものとなる複数の局所領域ＬＯ１，ＬＯ２を有する。よって、図５Ａ〜５Ｄに示すものと同様の手法で中間像ＴＩを形成し或いは表示素子１１に表示を行わせることで、境界部２１６ｊ周辺の局所領域ＬＯ１，ＬＯ２を無駄なく用いて虚像の投影が可能になる。
【００６３】
以上では、具体的な実施形態としての表示装置について説明したが、本発明に係る表示装置は、上記のものには限られない。例えば、上記実施形態において、画像表示装置１００の配置を上下反転させてさせてもよい。
【００６４】
上記実施形態において、表示スクリーン２０の輪郭は、矩形に限らず、様々な形状とすることができる。
【００６５】
上記実施形態において、図２等に示す投影光学系１５や拡大投射光学系１７は、単なる例示であり、これら投影光学系１５及び拡大投射光学系１７の光学的構成については適宜変更することができる。
【００６６】
図５Ａ〜５Ｄに示す局所領域ＬＡ１，ＬＡ２や部分画像ＤＡ１，ＤＡ２の配置や輪郭形状は単なる例示であり、表示装置の仕様等に応じて適宜変更でき、さらに、中間スクリーン１９の周期移動の一周期又は複数周期単位で局所領域又は部分画像の輪郭等を変更することができる。
【図１】
2020031415.tif 000003
【図２】
2020031415.tif 000004
【図３】
2020031415.tif 000005
【図４】
2020031415.tif 000006
【図５】
2020031415.tif 000007
【図６】
2020031415.tif 000008
【図７】
2020031415.tif 000009
【図８】
2020031415.tif 000010
【図９】
2020031415.tif 000011
【図１０】
2020031415.tif 000012
【図１１】
2020031415.tif 000013
【図１２】
2020031415.tif 000014
【国際調査報告】
2020031415.tif 000015
2020031415.tif 000016
2020031415.tif 000017